(57)【要約】【課題】通信ユニットの種類さらには通信網の種類に対して迅速且つ容易に対応するとともに、安価に監視システムを構築することが可能な監視方法を提供する。【解決手段】管理センター２２と、監視対象となる監視対象機器２３と、監視対象機器２３に対応した通信ユニット２４、２５と、管理センター２２と監視対象機器２３との間に存し且つ通信ユニット２４、２５に接続される中継装置２６と、を含む監視システム２１を用いて行われる監視方法であり、中継装置２６が異なる通信手順を持つ通信ユニット２４、２５と通信可能となるような汎用機能を有して監視対象機器２３に対する監視が行われる監視方法を採用する。【選択図】    図１
2004165868.tif 000002
【特許請求の範囲】
【請求項１】
管理センターと、監視対象となる監視対象機器と、該監視対象機器に対応した通信ユニットと、前記管理センターと前記監視対象機器との間に存し且つ前記通信ユニットに接続される中継装置と、を含む監視システムを用いて行われる監視方法であって、
前記中継装置が異なる通信手順を持つ前記通信ユニットと通信可能となるような汎用機能を有して前記監視対象機器に対する監視が行われる
ことを特徴とする監視方法。
【請求項２】
管理センターと、監視対象となる監視対象機器と、該監視対象機器に対応した通信ユニットと、前記管理センターと前記監視対象機器との間に存し且つ前記通信ユニットに接続される中継装置と、を含む監視システムを用いて行われる監視方法であって、
前記中継装置が異なる通信手順を持つ前記通信ユニットと通信可能となるような汎用機能を有するとともに、警報監視機能を有して前記監視対象機器に対する監視が行われる
ことを特徴とする監視方法。
【請求項３】
請求項１又は請求項２に記載の監視方法において、
異なる複数の通信網のうちの一つが選択されて前記管理センターと前記中継装置とが通信可能となる
ことを特徴とする監視方法。
【発明の詳細な説明】
【０００１  】
【発明の属する技術分野】
本発明は、管理センターと中継装置と通信ユニットと監視対象機器とを含む監視システムを用いて行われる監視方法に関する。
【０００２  】
【従来の技術】
従来、例えば設備機器のような監視対象機器に取り付けられた各種センサーからの信号は、ＰＬＣ（Ｐｒｏｇｒａｍａｂｌｅ  Ｌｏｇｉｃ  Ｃｏｎｔｒｏｌｌｅｒ）をはじめとする種々のデータ収集装置に取り込まれるようになっている。また、データ収集装置に取り込まれた信号は、そのデータ収集装置に取り付けられた通信ユニットを介してコンピュータに取り込まれるようになっている。尚、コンピュータが監視対象機器の側にない場合には、通信網を介してデータ転送を行う必要があり中継装置が用いられている（例えば特許文献１参照）。
【０００３  】
中継装置は、上記ＰＬＣをはじめとするデータ収集装置の通信ユニットに接続されている。通信ユニットは、各社各様の通信仕様とコマンド体系を持って市販されており、このような通信ユニットに接続される従来の中継装置は、データ収集装置の通信ユニットに対応した限定的な装置として用いられている。
【０００４  】
ところで、複数の設備機器を遠隔監視する場合には、複数種のデータ収集装置と通信ユニットとが使用される場合が多く、コンピュータにて一括して遠隔監視するためには、複数種の中継装置に各々対応するようなシステムの構築をする必要があった。
【０００５  】
また、コンピュータへデータ転送を行うための通信網は、公衆アナログ回線、公衆デジタル回線、パケット網、インターネットなどがあり、それぞれの通信網において使用される接続装置が異なることから、従来の中継装置は、通信網に限定的に対応した装置になってしまっていた。従って、システムの実装に多大な負担をかけてしまっていた。
【０００６  】
図１２を参照しながら従来の遠隔監視システムの一例を説明する。図１２において、従来の遠隔監視システムは、引用符号１で示されるコンピュータの機能を有する監視装置を備えている。その監視装置１には、使用する通信網の種類に応じて、すなわち公衆アナログ／デジタル回線２、パケット網３、インターネット４等に応じて、適応する接続装置５ａ、５ｂ、５ｃが設けられている。接続装置５ａ、５ｂ、５ｃは、例えば各顧客先現場側にも設けられている。各顧客先現場の設備機器には、データ収集装置が設けられている。そのデータ収集装置には、通信ユニット６ａ〜６ｃ（ここでは一例として三つ挙げる）のいずれかが設けられている。
【０００７  】
通信ユニット６ａ〜６ｃは、各社各様の通信仕様とコマンド体系を持っており、これらの通信ユニット６ａ〜６ｃのそれぞれには、通信ユニットと通信網とに対応した中継装置７、８、９、１０、…、ｎが接続されている。中継装置７、８、９、１０、…、ｎは、通信ユニットと通信網とに対応することから、それぞれ仕様が異なっている。
【０００８  】
【特許文献１】
特開２００１−１５６９２７号公報  （第２−３頁、第１−２図）
【０００９  】
【発明が解決しようとする課題】
上記従来技術にあっては、各社各様のデータ収集装置ならびにその通信ユニットに対応した中継装置７、８、９、１０、…、ｎを通信網に合わせて選択しなければならなかった。また、上記装置から取り出された各種データを監視装置１が各々の中継装置７、８、９、１０、…、ｎの仕様に応じた実装で取り込まなければならなかった。
【００１０  】
すなわち、従来の遠隔監視システムは、中継装置の選択に始まり、その通信手順、警報取得手順などの中継装置ごとの仕様調査ならびに実装に多大なコストを必要としていた。
【００１１  】
本発明は、上述した事情に鑑みてなされたもので、通信ユニットの種類さらには通信網の種類に対して迅速且つ容易に対応するとともに、安価に監視システムを構築することが可能な監視方法を提供することを課題とする。
【００１２  】
【課題を解決するための手段】
上記課題を解決するためなされた請求項１記載の本発明の監視方法は、管理センターと、監視対象となる監視対象機器と、該監視対象機器に対応した通信ユニットと、前記管理センターと前記監視対象機器との間に存し且つ前記通信ユニットに接続される中継装置と、を含む監視システムを用いて行われる監視方法であって、前記中継装置が異なる通信手順を持つ前記通信ユニットと通信可能となるような汎用機能を有して前記監視対象機器に対する監視が行われることを特徴としている。
【００１３  】
上記課題を解決するためなされた請求項２記載の本発明の監視方法は、管理センターと、監視対象となる監視対象機器と、該監視対象機器に対応した通信ユニットと、前記管理センターと前記監視対象機器との間に存し且つ前記通信ユニットに接続される中継装置と、を含む監視システムを用いて行われる監視方法であって、前記中継装置が異なる通信手順を持つ前記通信ユニットと通信可能となるような汎用機能を有するとともに、警報監視機能を有して前記監視対象機器に対する監視が行われることを特徴としている。
【００１４  】
請求項３記載の本発明は、請求項１又は請求項２に記載の監視方法において、異なる複数の通信網のうちの一つが選択されて前記管理センターと前記中継装置とが通信可能となることを特徴としている。
【００１５  】
請求項１に記載された本発明によれば、中継装置は異なる通信手順を持つ通信ユニットと通信可能となるような汎用機能を有する。そして、このような機能を有して監視対象機器に対する監視が行われる。これにより、通信ユニットに対応するような中継装置の選択は不要になる。また、通信手順などの中継装置ごとの仕様調査ならびに実装に多大なコストをかけなくてもすむようになる。従って、本発明の監視方法を採用することにより、通信ユニットの種類に対して迅速且つ容易に対応することが可能になる。また、安価に監視システムを構築することが可能になる。
【００１６  】
尚、本明細書において、管理センターには、コンピュータの機能を有する監視装置（一例）が含まれるものとする。監視対象機器としては、ボイラ設備（ボイラ、水処理機器など）、冷凍機設備（吸収式冷凍機など）、受配電設備（受配電盤、機器制御盤など）、空調設備（空調機器、スケジュール制御盤など）等の各種設備機器や流量計等が挙げられるものとする（ＰＬＣをはじめとするデータ収集装置が一体又は別体で含まれる）。
【００１７  】
請求項２に記載された本発明によれば、中継装置は異なる通信手順を持つ通信ユニットと通信可能となるような汎用機能を有する。また、中継装置は警報監視機能を有する。そして、このような機能を有して監視対象機器に対する監視が行われる。監視には、警報監視が含まれる。これにより、通信ユニットに対応するような中継装置の選択は不要になる。また、通信手順、警報取得手順などの中継装置ごとの仕様調査ならびに実装に多大なコストをかけなくてもすむようになる。従って、本発明の監視方法を採用することにより、通信ユニットの種類に対して迅速且つ容易に対応することが可能になる。また、安価に警報監視を含んだ監視システムを構築することが可能になる。
【００１８  】
請求項３に記載された本発明によれば、管理センターと中継装置との通信を行うために、異なる複数の通信網のうちの一つが選択される。管理センター及び中継装置は、異なる通信網に対応するようになる。これにより、通信網の種類に対してさらに迅速且つ容易に対応することが可能になる。
【００１９  】
【発明の実施の形態】
以下、図面を参照して本発明の実施の形態を説明する。
図１は本発明の監視方法が採用される監視システムの一実施の形態を示すブロック図である。また、図２は中継装置の全体構成図、図３は通信関数群の説明図である。
【００２０  】
図１において、本発明の監視方法が採用される監視システム２１は、管理センター２２と、監視対象となる監視対象機器２３と、その監視対象機器２３に対応した通信ユニット２４ならびに２５と、管理センター２２と監視対象機器２３との間に存し且つ通信ユニット２４ならびに２５に接続される中継装置２６と、を含んで構成されている。管理センター２２は、監視装置２７と、通信関数群２８と、装置設定＆メンテナンスツール２９とを有している。監視システム２１は、上記の他に各種公衆／専用の通信網３０を利用するとともに、接続装置３１ならびに３２を有して構成されている。以下、上記各構成について説明する。
【００２１  】
管理センター２２の監視装置２７は、監視対象機器２３を監視するためのものであって、コンピュータにより構成されている。通信関数群２８は、中継装置２６との様々なやり取りを行うために設けられている。通信関数群２８については後に再度説明する。装置設定＆メンテナンスツール２９は、通信関数群２８を利用して中継装置２６の諸動作の設定ならびに動作ログを取得するために設けられている。
【００２２  】
通信網３０は、公衆アナログ／デジタル回線、パケット網、インターネット等の異なる複数の通信網であって、この中の一つが選択されて監視装置２７と中継装置２６とが通信可能となるようになっている。接続装置３１ならびに３２は、電話モデムをはじめとする各種通信網に対応することが可能なものとして構成されている。
【００２３  】
監視装置２７による監視の対象となる監視対象機器２３は、例えば顧客現場に設置されている。その監視対象機器２３には、データ収集装置ならびに通信ユニット２４または２５が、一体または別体で設けられている。ここでは、通信ユニット２４がシリアル通信ユニット、通信ユニット２５がイーサネット（登録商標）通信ユニットに設定されている。
【００２４  】
図２において、中継装置２６は、通信ポートＡ１００及び通信ポートＢ１７０と、リアルデータ中継手順１１０と、警報データ発報手順１１１と、蓄積データ送信手順１１２と、メンテナンスデータ処理手順１１３と、中継手順パラメータブロック１２０と、通信手順パラメータブロック１２１と、コマンド＆解析パラメータブロック１２２と、メモリブロック１４０と、リアルデータ通信手順１６０と、警報判断手段１５０と、警報検知通信手順１６１と、データ演算手段１５１と、データ蓄積通信手順１６２と、管理情報記憶装置１８０と、制御部１３０とを備えて構成されている。
【００２５  】
図１及び図２において、通信ポートＡ１００は、通信網３０と接続するための接続装置３２に接続されている。また、通信ポートＢ１７０は、顧客現場に設置された監視対象機器２３のデータ収集装置ならびに通信ユニット２４または２５に接続されている。また、リアルデータ中継手順１１０は、監視対象機器２３のリアルタイムデータを中継するために設けられている。また、警報データ発報手順１１１は、監視対象機器２３の異常を警報として発信するために設けられている。また、蓄積データ送信手順１１２は、監視対象機器２３の稼働状況を記録したデータを送信するために設けられている。また、メンテナンスデータ処理手順１１３は、装置設定＆メンテナンスツール２９からの指示に従い各種設定およびメンテナンスを行うために設けられている。
【００２６  】
中継手順パラメータブロック１２０には、通信網３０と接続するための接続装置３２に対応した中継通信処理を行うための中継手順がパラメータ記述されている。また、通信手順パラメータブロック１２１には、通信ユニット２４または２５との通信手順がパラメータ記述されている。また、コマンド＆解析パラメータブロック１２２には、警報及び蓄積データを取得するためのコマンドおよびその解析方法がパラメータ記述されている。
【００２７  】
メモリブロック１４０は、警報および蓄積データを保存するために設けられている。また、リアルデータ通信手順１６０は、通信手順パラメータブロック１２１に記述された通信手順を利用してリアルデータの取得を行うために設けられている。また、警報判断手段１５０は、コマンド＆解析パラメータブロック１２２に記述された解析パラメータによって取得データから警報判断をするために設けられている。また、警報検知通信手順１６１は、コマンド＆解析パラメータブロック１２２に記述された通信手順を利用して警報判断の元となるデータを通信にて取得するために設けられている。また、データ演算手段１５１は、コマンド＆解析パラメータブロック１２２に記述された解析パラメータによって取得データから蓄積用データを演算するために設けられている。また、データ蓄積通信手順１６２は、コマンド＆解析パラメータブロック１２２に記述されたコマンドと通信手順パラメータブロック１２１に記述された通信手順とを利用して蓄積データの元となるデータを通信にて取得するために設けられている。
【００２８  】
管理情報記憶装置１８０は、中継手順パラメータブロック１２０および通信手順パラメータブロック１２１およびコマンド＆解析パラメータブロック１２２およびメモリブロック１４０の内容を不揮発記憶するために設けられている。また、制御部１３０は、上記の全ての処理をコントロールするために設けられている。
【００２９  】
上記構成において、中継装置２６は、接続装置３１および３２を通すか、あるいは直接通信ポートＡ１００に監視装置２７を直接接続するか、どちらかの方法で、装置設定＆メンテナンスツール２９を使って内部パラメータ領域を書き換えることができるようになっている。ここで、書き換えられる内部パラメータ領域は、中継手順パラメータブロック１２０および通信手順パラメータブロック１２１およびコマンド＆解析パラメータブロック１２２の３領域であるものとする。
【００３０  】
装置設定＆メンテナンスツール２９を使って中継手順パラメータブロック１２０を書き換えることにより、中継装置２６は、接続される通信網３０に対応した接続装置３２に応じた通信手順を取ることができるようになっている。また、制御部１３０は、中継手順パラメータブロック１２０の記述パラメータを使用して、リアルデータ中継手順１１０、警報データ発報手順１１１、蓄積データ送信手順１１２、メンテナンスデータ処理手順１１３の通信手順を接続装置３２に合わせたものに変更することができるようになっている。そして、中継手順パラメータブロック１２０の書き換えが実行されると、これと同時に管理情報記憶装置１８０にこの情報が記憶されるようになっている。
【００３１  】
尚、メンテナンスデータ処理手順１１３のみは、中継手順パラメータブロック１２０に記述された通信手順に従うモードと、接続装置３２を介さず、直接通信ポートＡ１００に監視装置２７を接続して通信手順を行うモードの２つのモードが用意されている。すなわち、接続装置３２を別の通信網に対応した接続装置に置き換える際の、通信不能状態を回避することができるようになっている。
【００３２  】
装置設定＆メンテナンスツール２９を使って通信手順パラメータブロック１２１を書き換えることにより、中継装置２６は、接続される通信ユニット２４または２５に対応した通信手順を取ることができるようになっている。そして、通信手順パラメータブロック１２１の書き換えが実行されると、これと同時に管理情報記憶装置１８０にこの情報が記憶されるようになっている。
【００３３  】
装置設定＆メンテナンスツール２９を使ってコマンド＆解析パラメータブロック１２２を書き換えることにより、中継装置２６は、警報の判定を行うために必要となるデータ収集用のコマンドとその判定方法、また、データを定期的に蓄積するためのデータ収集用のコマンドとその演算方法を変更することができるようになっている。そして、コマンド＆解析パラメータブロック１２２の書き換えが実行されると、これと同時に管理情報記憶装置１８０にこの情報が記憶されるようになっている。
【００３４  】
図３において、通信関数群２８は、中継装置２６と通信し各種操作を行うために設けられている。また、通信関数群２８は、監視装置２７および装置設定＆メンテナンスツール２９が標準的に使用できるプログラム関数を納めたもので、この標準関数群を使用して中継装置２６に対してのデータ要求や警報待ち受け、動作設定、ログ取得などを行うために設けられている。基本関数としては、監視対象機器２３の状態データをリアルタイムに取得するためのリアルデータ取得関数群２２０と、警報を待ち受けて警報データを取得するための警報データ取得関数群２２１と、蓄積データを収集する蓄積データ取得関数群２２２と、中継装置２６のパラメータブロック書き換えや動作ログ情報の取得などを行うメンテナンス関数群２２３とを備えて構成されている。
【００３５  】
通信関数群２８のリアルデータ取得関数群２２０を使用して発行されたリアルデータ取得要求は、接続装置３２を介して通信ポートＡ１００へ到達するようになっている。中継装置２６は、中継手順パラメータブロック１２０の内容に従って接続装置３２に対応した着信待ち受けを行っており、先のリアルデータ取得要求は通信ポートＡ１００を介して着信されるようになっている。通信ポートＡ１００が着信すると、中継手順パラメータブロック１２０の内容に従ったリアルデータ中継手順１１０を経てリアルデータ取得要求コマンドが取得され、制御部１３０へ取り込まれるようになっている。
【００３６  】
制御部１３０では、取得したリアルデータ取得要求コマンドをそのまま通信ポートＢ１７０へ送り、通信手順パラメータブロック１２１に従った通信手順を実現するリアルデータ通信手順１６０にて通信ユニット２４または２５からレスポンスデータを取得するようになっている。取得されたレスポンスデータは、中継手順パラメータブロック１２０の内容に従ったリアルデータ中継手順１１０を通して通信ポートＡ１００から発信され、通信関数群２８のリアルデータ取得関数群２２０に応答として返されるようになっている。監視装置２７では、この応答レスポンスデータにより顧客現場の監視対象機器２３の機器状態をモニタリングすることができようになっている。
【００３７  】
通信関数群２８の警報データ取得関数群２２１を使用して監視装置２７は、警報待ち受けを行うことができるようになっている。中継装置２６の制御部１３０は、あらかじめ設定されているコマンド＆解析パラメータブロック１２２内の警報データ取得用コマンドと、通信手順パラメータブロック１２１に従った通信手順を実現する警報検知通信手順１６１とを使って、定期的に通信ユニット２４または２５から応答データを得るようになっている（図９参照）。制御部１３０は、受け取った応答データに対し、コマンド＆解析パラメータブロック１２２に記された内容に従った分解・解析を行う警報判断手段１５０にて警報の判断を行うようになっている。
【００３８  】
警報が出たと判断されるその警報判断情報がメモリブロック１４０に保存され、さらに管理情報記憶装置１８０に対しても保存されると、中継手順パラメータブロック１２０に従った中継手順である警報データ発報手順１１１を通して通信ポートＡ１００より回線接続作業と警報データの送信を行うようになっている。警報は、回線接続されている間に発生している全ての警報につきデータ送信されるようになっている。待ち受け中の通信関数群２８内の警報データ取得関数群２２１は、中継装置２６からの警報を着信して警報の内容データを受け取ることができるようになっている。
【００３９  】
中継装置２６の制御部１３０は、あらかじめ設定されているコマンド＆解析パラメータブロック１２２内の蓄積データ取得用コマンドと、通信手順パラメータブロック１２１に従った通信手順を実現するデータ蓄積通信手順１６２とを使って、これまたコマンド＆解析パラメータブロック１２２に設定された時間間隔にて通信ユニット２４または２５から応答データを得るようになっている（図９参照）。制御部１３０は、受け取った応答データに対し、コマンド＆解析パラメータブロック１２２に記された手順でデータ分解・解析・演算をデータ演算手段１５１にて行うようになっている。演算されたデータは、メモリブロック１４０に順次蓄積されると同時に、管理情報記憶装置１８０に対しても保存されるようになっている。
【００４０  】
通信関数群２８内の蓄積データ取得関数群２２２を使用して発行された蓄積データ取得要求は、接続装置３２を介して通信ポートＡ１００へ到達するようになっている。中継装置２６は、中継手順パラメータブロック１２０の内容に従って接続装置３２に対応した着信待ち受けを行っており、先の蓄積データ取得要求は通信ポートＡ１００を介して着信されるようになっている。通信ポートＡ１００が着信すると、中継手順パラメータブロック１２０の内容に従った蓄積データ送信手順１１２を経てメモリブロック１４０内に蓄積されたデータ群が全て送信され、蓄積データ取得関数群２２２がそのデータを順次取得するようになっている。監視装置２７は、このデータを様々な設備稼働データとして活用するようになっている。
【００４１  】
通信関数群２８のメンテナンス関数群２２３を使用して発行されたメンテナンス要求は、接続装置３２を介するか、あるいは直接ルートで通信ポートＡ１００へ到達するようになっている。中継装置２６は、中継手順パラメータブロック１２０の内容に従ったメンテナンスデータ処理手順１１３と、このメンテナンスデータ処理手順１１３をバイパスした直接処理手順とで交互に着信待ち受けを行っており、通信ポートＡ１００が着信すると、その着信時の接続手順にてメンテナンス要求を受け入れるようになっている。メンテナンス要求として、▲１▼中継手順パラメータブロック１２０の書き換え要求、▲２▼通信手順パラメータブロック１２１の書き換え要求、▲３▼コマンド＆解析パラメータブロック１２２の書き換え要求、▲４▼中継装置２６の稼働ログ取得要求を受け入れるようになっている。
【００４２  】
尚、通信関数群２８のメンテナンス関数群２２３では、中継装置２６の内部パラメータだけでなく、その制御プログラム自体も書き換えることが可能になっている。すなわち、将来新しく登場する通信網や、顧客設置のデータ収集装置ならびに通信ユニットが、内部パラメータの書き換えのみで通信が行えないような手順である場合には、その制御プログラム自身をバージョンアップすることが可能になっている。
【００４３  】
以上のように、中継装置２６の内部パラメータを書き換えることにより、▲１▼各種通信網に対応した、▲２▼顧客設置のデータ収集装置ならびに通信ユニット２４ならびに２５に対応した、汎用性のある（汎用機能を有する）中継装置が実現でき、これを利用したコンピュータシステムである監視システム２１を迅速に、安価に構築することができる。
【００４４  】
中継装置２６が異なる通信手順を持つ通信ユニット２４ならびに２５と通信可能となるような汎用機能を有し、さらには警報監視機能を有して、監視装置２７が監視対象機器２３に対する監視を行うような監視方法およびシステムであることから、通信ユニット２４ならびに２５の種類さらには通信網３０の種類に対して迅速且つ容易に対応することができる。
【００４５  】
その他、内部パラメータを書き換えるメンテナンスデータ処理に関しては、▲１▼通信網を介して、あるいは▲２▼直接通信にて処理が行われるため、遠隔監視中継装置の設置時あるいは設置後の保守メンテナンス、通信対象機器変更においてコストをかけずに短時間で処理を完了することができ、導入、運用コストを削減することができる。
【００４６  】
続いて、図４を参照しながら中継装置２６で行われるリアルデータ処理について説明する。図４はリアルデータ処理に係るフローチャートである。
【００４７  】
リアルデータ処理が開始されると、ステップＳ１〜Ｓ７の処理が順に行われる。先ず、ステップＳ１では接続装置３２の初期化と着信待ち受けが行われる。次に、ステップＳ２では通信ユニット２４または２５への送信コマンド取得が行われる。ステップＳ３では通信ユニット２４または２５へのコマンド送信が行われる。ステップＳ４では通信ユニット２４または２５からの応答データの受信が行われる。ステップＳ５ではその応答データの返信が行われる。ステップＳ６では次のリアルデータ取得要求があるかどうかが判断され、次の要求がある場合には（Ｙ）、再びステップＳ２の処理が行われる。一方、次の要求がない場合には（Ｎ）、ステップＳ７が実行される。ステップＳ７では切断処理が行われる。以上により、リアルデータ処理が完了する。
【００４８  】
尚、リアルデータ処理における上記ステップＳ１およびＳ２、ステップＳ５およびＳ７は、中継手順パラメータブロック１２０の内容に従っている。また、ステップＳ３およびＳ４は、通信手順パラメータブロック１２１の内容に従っている。
【００４９  】
続いて、図５を参照しながら中継装置２６で行われる警報処理について説明する。図５は警報処理に係るフローチャートである。
【００５０  】
警報処理が開始されると、ステップＳ１１〜Ｓ１９の処理が順に行われる。先ず、ステップＳ１１ではコマンド生成が行われる。次に、ステップＳ１２では通信ユニット２４または２５へのコマンド送信が行われる。ステップＳ１３では通信ユニット２４または２５からの応答データの受信が行われる。ステップＳ１４ではその応答データの解析・警報判定が行われる。ステップＳ１５では警報があるかどうかが判断され、警報がない場合には（Ｎ）、再びステップＳ１１の処理が行われる。一方、警報がある場合には（Ｙ）、ステップＳ１６が実行される。ステップＳ１６では警報判断情報のメモリブロック１４０への保存が行われる。ステップＳ１７では接続装置３２の初期化と送信準備が行われる。ステップＳ１８では回線接続されている間に発生している全ての警報についてのデータ送信が行われる。ステップＳ１９では切断処理が行われる。以上により、警報処理が完了する。
【００５１  】
尚、警報処理における上記ステップＳ１１およびＳ１４は、コマンド＆解析パラメータブロック１２２の内容に従っている。また、ステップＳ１２およびＳ１３は、通信手順パラメータブロック１２１の内容に従っている。また、ステップＳ１７およびＳ１８およびＳ１９は、中継手順パラメータブロック１２０の内容に従っている。
【００５２  】
続いて、図６を参照しながら中継装置２６で行われる蓄積データ収集処理について説明する。図６は蓄積データ収集処理に係るフローチャートである。
【００５３  】
蓄積データ収集処理が開始されると、ステップＳ２１〜Ｓ２５の処理が順に行われる。先ず、ステップＳ２１ではコマンド生成が行われる。次に、ステップＳ２２では通信ユニット２４または２５へのコマンド送信が行われる。ステップＳ２３では通信ユニット２４または２５からの応答データの受信が行われる。ステップＳ２４ではその応答データの解析・演算処理が行われる。ステップＳ２５では蓄積データのメモリブロック１４０や管理情報記憶装置１８０への保存が行われる。その後、再びステップＳ２１からの処理が順に行われる。
【００５４  】
尚、蓄積データ収集処理における上記ステップＳ２１およびＳ２４は、コマンド＆解析パラメータブロック１２２の内容に従っている。また、ステップＳ２２およびＳ２３は、通信手順パラメータブロック１２１の内容に従っている。
【００５５  】
続いて、図７を参照しながら中継装置２６で行われる蓄積データ送信処理について説明する。図７は蓄積データ送信処理に係るフローチャートである。
【００５６  】
蓄積データ送信処理が開始されると、ステップＳ３１〜Ｓ３６の処理が順に行われる。先ず、ステップＳ３１では接続装置３２の初期化と着信待ち受けが行われる。次に、ステップＳ３２では蓄積データ取得要求の受信が行われる。ステップＳ３３ではメモリブロック１４０や管理情報記憶装置１８０を用いての、応答用の蓄積データの生成が行われる。ステップＳ３４ではその生成された蓄積データの返信が行われる。ステップＳ３５では次の蓄積データ取得要求があるかどうかが判断され、次の要求がある場合には（Ｙ）、再びステップＳ３２の処理が行われる。一方、次の要求がない場合には（Ｎ）、ステップＳ３６が実行される。ステップＳ３６では切断処理が行われる。以上により、蓄積データ送信処理が完了する。
【００５７  】
尚、蓄積データ送信処理における上記ステップＳ３１およびＳ３２及びＳ３４およびＳ３６は、中継手順パラメータブロック１２０の内容に従っている。
【００５８  】
続いて、図８を参照しながら中継装置２６で行われる中継装置設定＆メンテナンス処理について説明する。図８は中継装置設定＆メンテナンス処理に係るフローチャートである。
【００５９  】
中継装置設定＆メンテナンス処理が開始されると、ステップＳ４１〜Ｓ５１の処理が順に行われる。先ず、ステップＳ４１では接続装置３２の初期化と着信待ち受けが行われる。次に、ステップＳ４２ではコマンドの受信が行われる。ステップＳ４３では中継装置設定またはメンテナンス要求のいずれであるかどうかが判断され、メンテナンス要求の場合にはステップＳ４４が実行される。また、中継装置設定の場合にはステップＳ４５が実行される。ステップＳ４４ではメンテナンス用内部保持データの送信が行われる。ステップＳ４５では中継手順設定、通信手順設定、コマンド＆解析設定のいずれであるかどうかが判断され、中継手順設定の場合にはステップＳ４６が実行される。また、通信手順設定の場合にはステップＳ４７が実行される。また、コマンド＆解析設定の場合にはステップＳ４８が実行される。ステップＳ４６では中継手順パラメータの受信が行われる。ステップＳ４７では通信手順パラメータの受信が行われる。ステップＳ４８ではコマンド＆解析パラメータの受信が行われる。ステップＳ４９では次の要求があるかどうかが判断され、次の要求がある場合には（Ｙ）、再びステップＳ４２の処理が行われる。一方、次の要求がない場合には（Ｎ）、ステップＳ５０が実行される。ステップＳ５０では切断処理が行われる。ステップＳ５１では各パラメータの書き換えが行われる。以上により、中継装置設定＆メンテナンス処理が完了する。
【００６０  】
尚、中継装置設定＆メンテナンス処理における上記ステップＳ４１およびＳ４２及びＳ４４およびＳ４６およびＳ４７およびＳ４８およびＳ５０は、中継手順パラメータブロック１２０の内容に従っている。
【００６１  】
続いて、図１０および図１１を参照しながら中継装置２６で行われる通信処理について説明する。図１０は着信待ち受け時の処理に係るフローチャート、図１１は発信時の処理に係るフローチャートである。
【００６２  】
図１０および図１１の「着信待ち受け」、「発信処理」は通信処理におけるオープン処理に該当し、「コマンド受信」、「応答データ送信」、「データ送信」は通信処理における読み書き処理に該当するようになっている。また、「切断」は通信処理におけるクローズ処理に該当するようになっている。尚、図１０および図１１の「着信待ち受け」、「発信処理」、「切断」においてはそれぞれ「前処理」と「後処理」が存在し、四角で囲んだ３つのパラメータにて設定される処理が示されているが、これらは必ず３つ指定されるものではないものとする。設定されるパラメータの例を示しているものであって、例えば着信待ち受け前処理で「モデム初期化コマンド」が設定されていればモデムの初期化がそのコマンドを使用して実行され、着信待ち受け後処理に「ＰＰＰ／ＴＣＰ／ＵＤＰ、認証コード」が設定されていればＰＰＰ接続してＴＣＰまたはＵＤＰにて接続した後、認証処理が実行されるように示されているものとする。
【００６３  】
その他、本発明は本発明の主旨を変えない範囲で種々変更実施可能なことは勿論である。
【００６４  】
【発明の効果】
以上説明したように、請求項１に記載された本発明によれば、通信ユニットの種類に対して迅速且つ容易に対応することができるという効果を奏する。また、安価に監視システムを構築することができるという効果を奏する。
【００６５  】
請求項２に記載された本発明によれば、通信ユニットの種類に対して迅速且つ容易に対応することができるという効果を奏する。また、安価に警報監視を含んだ監視システムを構築することができるという効果を奏する。
【００６６  】
請求項３に記載された本発明によれば、通信網の種類に対してさらに迅速且つ容易に対応することができるという効果を奏する。
【図面の簡単な説明】
【図１】本発明による監視方法が採用される監視システムの一実施の形態を示すブロック図である。
【図２】中継装置の全体構成図である。
【図３】通信関数群の説明図である。
【図４】リアルデータ処理に係るフローチャートである。
【図５】警報処理に係るフローチャートである。
【図６】蓄積データ収集処理に係るフローチャートである。
【図７】蓄積データ送信処理に係るフローチャートである。
【図８】中継装置設定＆メンテナンス処理に係るフローチャートである。
【図９】中継装置と通信ユニットの通信例に係る説明図である。
【図１０】通信処理（着信待ち受け時の処理）に係るフローチャートである。
【図１１】通信処理（発信時の処理）に係るフローチャートである。
【図１２】従来の遠隔監視システムを示すブロック図である。
【符号の説明】
２１  監視システム
２２  管理センター
２３  監視対象機器
２４、２５  通信ユニット
２６  中継装置
２７  監視装置
２８  通信関数群
２９  装置設定＆メンテナンスツール
３０  通信網
３１、３２  接続装置
１００  通信ポートＡ
１１０  リアルデータ中継手順
１１１  警報データ発報手順
１１２  蓄積データ発信手順
１１３  メンテナンスデータ処理手順
１２０  中継手順パラメータブロック
１２１  通信手順パラメータブロック
１２２  コマンド＆解析パラメータブロック
１３０  制御部
１４０  メモリブロック１４０
１５０  警報判断手段
１５１  データ演算手段
１６０  リアルデータ通信手順
１６１  警報検知通信手順
１６２  データ蓄積通信手順
１７０  通信ポートＢ
１８０  管理情報記憶装置
２２０  リアルデータ取得関数群
２２１  警報データ取得関数群
２２２  蓄積データ取得関数群
２２３  メンテナンス関数群
【図１】
2004165868.tif 000003
【図２】
2004165868.tif 000004
【図３】
2004165868.tif 000005
【図４】
2004165868.tif 000006
【図５】
2004165868.tif 000007
【図６】
2004165868.tif 000008
【図７】
2004165868.tif 000009
【図８】
2004165868.tif 000010
【図９】
2004165868.tif 000011
【図１０】
2004165868.tif 000012
【図１１】
2004165868.tif 000013
【図１２】
2004165868.tif 000014